(57)【要約】【課題】多数敷設されているケーブルの中から特定のケーブルの情報を、ケーブルの端部及び中間部を問わず、容易に識別することができ、したがって、ケーブルの識別作業の効率化を実現可能なケーブル識別装置及びケーブル識別方法を提供する。【解決手段】多芯ケーブル１０を識別するためのケーブル識別装置１であって、多芯ケーブル１０における一本の芯線であるアンテナ線２と、多芯ケーブル１０を識別するための識別情報が記憶され、アンテナ線２の一端に接続されて多芯ケーブル１０の一方の端部１０ａに配置されるパッシブタイプのＲＦＩＤタグ３と、多芯ケーブル１０の脇において、ＲＦＩＤタグ３が取り付けられたアンテナ線２を介して電磁波をＲＦＩＤタグ３に供給すると共に、該ＲＦＩＤタグ３からの反射波を受信して識別情報を得る携帯型ＩＤリーダ４を備えている。【選択図】図１
2014239567.tif 000002
【特許請求の範囲】
【請求項１】
ケーブルを識別するためのケーブル識別装置であって、
前記ケーブルに抱合せて配置されるアンテナ線と、
前記ケーブルを識別するための識別情報が記憶され、前記アンテナ線の一端に接続されて前記ケーブルの端部に配置されるＲＦＩＤタグと、
前記ケーブル及び前記アンテナ線の脇において、該アンテナ線を介して電磁波を前記ＲＦＩＤタグに供給すると共に、該ＲＦＩＤタグからの反射波を受信して前記識別情報を得る携帯型ＩＤリーダを備えた
ことを特徴とするケーブル識別装置。
【請求項２】
前記アンテナ線を介して前記識別情報を前記ＲＦＩＤタグに記憶させる書き込み機能を前記携帯型ＩＤリーダが有している請求項１に記載のケーブル識別装置。
【請求項３】
識別するケーブルが多芯ケーブルであって、前記多芯ケーブルが有する複数の芯線のうちの未使用の芯線を前記アンテナ線として用いている請求項１又は２に記載のケーブル識別装置。
【請求項４】
ケーブルを識別するためのケーブル識別方法であって、
アンテナ線を前記ケーブルに抱合せて配置すると共に、前記ケーブルを識別するための識別情報を記憶させたＲＦＩＤタグを前記アンテナ線の一端に取り付けて前記ケーブルの一方の端部に位置させておき、
前記ケーブルの識別に際して、該ケーブル及び前記アンテナ線の脇で、携帯型ＩＤリーダから前記アンテナ線を介して電磁波を前記ＲＦＩＤタグに供給して、該ＲＦＩＤタグからの反射波を受信して前記識別情報を得る
ことを特徴とするケーブル識別方法。
【発明の詳細な説明】
【技術分野】
【０００１】
本発明は、例えば、発電所のようなケーブルが多数敷設されている現場において、ケーブル個々の情報を識別するのに用いられるケーブル識別装置及びケーブル識別方法に関するものである。
【背景技術】
【０００２】
従来、ケーブル、例えば、多芯ケーブルが多数敷設されている場合において、多芯ケーブル個々の結線数や芯線数やケーブル符号等の情報は、多数の芯線を束ねて覆っているマークチューブの端部（多芯ケーブルの端部）に記載されたケーブル符号と配線図とを照合して識別するようにしている。
【０００３】
また、上記したケーブル識別方法とは異なる他のケーブル識別方法としては、例えば、特許文献１に記載された方法がある。このケーブル識別方法は、多芯ケーブルの芯線個々の識別を行うのに用いられる方法であって、複数の芯線の各端末に芯線識別情報を記憶させたＲＦＩＤタグをそれぞれ接続し、複数の芯線の端子への接続に際して、ＲＦＩＤタグから芯線個々の識別情報を取り出すようにしている。
【先行技術文献】
【特許文献】
【０００４】
【特許文献１】特開2007-215398号
【発明の概要】
【発明が解決しようとする課題】
【０００５】
ところが、従来において、マークチューブに記載されたケーブル符号によりケーブル情報の識別を行う場合、及び、ＲＦＩＤタグから芯線情報の識別を行う場合のいずれの場合も、ケーブルの端部近傍でなければ、情報を得ることができない。
例えば、複数のケーブルのうちの一本に撤去する必要が生じた場合において、ケーブルの中間位置では撤去すべきケーブルを特定することができない。つまり、マークチューブに記載されたケーブル符号があるケーブルの端部の位置まで行ってケーブル情報を識別しなくてはならず、その結果、識別作業に手間暇がかかってしまうという問題を有しており、この問題を解決することが従来の課題となっていた。
【０００６】
本発明は、上記した従来の課題に着目してなされたもので、多数敷設されているケーブルの中から特定のケーブルの情報を識別する場合において、ケーブルの端部及び中間部を問わず、ケーブルの情報を容易に識別することができ、したがって、ケーブルの識別作業の効率化を実現することが可能であるケーブル識別装置及びケーブル識別方法を提供することを目的としている。
【課題を解決するための手段】
【０００７】
本発明の請求項１に係る発明は、ケーブルを識別するためのケーブル識別装置であって、前記ケーブルに抱合せて配置されるアンテナ線と、前記ケーブルを識別するための識別情報が記憶され、前記アンテナ線の一端に接続されて前記ケーブルの端部に配置されるＲＦＩＤタグと、前記ケーブル及び前記アンテナ線の脇において、該アンテナ線を介して電磁波を前記ＲＦＩＤタグに供給すると共に、該ＲＦＩＤタグからの反射波を受信して前記識別情報を得る携帯型ＩＤリーダを備えた構成としたことを特徴としており、この構成のケーブル識別装置を前述した従来の課題を解決するための手段としている。
【０００８】
本発明の請求項２に係るケーブル識別装置は、前記アンテナ線を介して前記識別情報を前記ＲＦＩＤタグに記憶させる書き込み機能を前記携帯型ＩＤリーダが有している構成としている。
【０００９】
本発明の請求項３に係るケーブル識別装置は、識別するケーブルが多芯ケーブルであって、前記多芯ケーブルが有する複数の芯線のうちの未使用の芯線を前記アンテナ線として用いている構成としている。
【００１０】
一方、本発明の請求項４に係る発明は、ケーブルを識別するためのケーブル識別方法であって、アンテナ線を前記ケーブルに抱合せて配置すると共に、前記ケーブルを識別するための識別情報を記憶させたＲＦＩＤタグを前記アンテナ線の一端に取り付けて前記ケーブルの一方の端部に位置させておき、前記ケーブルの識別に際して、前記ケーブル及び前記アンテナ線の脇で、携帯型ＩＤリーダから前記アンテナ線を介して電磁波を前記ＲＦＩＤタグに供給して、該ＲＦＩＤタグからの反射波を受信して前記識別情報を得る構成としている。
【００１１】
本発明に係るケーブル識別装置及びケーブル識別方法において、ＲＦＩＤタグには、パッシブタグ，アクティブタグ及びセミアクティブタグを用いることができるが、安価なパッシブタグを採用することが望ましい。
【００１２】
本発明に係るケーブル識別装置及びケーブル識別方法では、例えば、ケーブルを電子機器間に敷設するに際して、まず、敷設するケーブルにアンテナ線を抱合せて配置すると共に、ケーブルを識別するための識別情報を記憶させたＲＦＩＤタグをアンテナ線の一端に取り付けたうえで、ケーブルの一方の端部に位置させておく。
【００１３】
そして、このようなアンテナ線を抱合せたケーブルを多数敷設して使用しているうちに、複数のケーブルの中に撤去が必要なケーブルが出現した場合には、この撤去するケーブルを識別するべく、例えば、ケーブルの中間部の脇において、携帯型ＩＤリーダからアンテナ線を介して電磁波をＲＦＩＤタグに供給すると、このＲＦＩＤタグから識別情報を含んだ反射波が戻ることとなり、この反射波を携帯型ＩＤリーダで受信すれば、撤去するケーブルの識別情報が得られることとなる。
【００１４】
このように、ケーブル及びアンテナ線の脇において、携帯型ＩＤリーダからアンテナ線を介して電磁波をＲＦＩＤタグに供給すれば、例えケーブルの中間位置であったとしても、ケーブルの端部の位置まで行くことなく撤去すべきケーブルを特定し得るので、識別作業が容易なものとなって、作業の効率化が図られることとなる。
【００１５】
この際、携帯型ＩＤリーダに書き込み機能を有するものを採用して、この携帯型ＩＤリーダからアンテナ線を介してケーブルの識別情報をＲＦＩＤタグに記憶させる構成とすれば、ケーブルの端部及び中間部を問わず、ケーブルを識別するための識別情報をＲＦＩＤタグに記憶させ得ることとなり、利便性が向上することとなる。
【００１６】
また、多芯ケーブルが有する複数の芯線のうちの未使用の芯線をアンテナ線として使用するように成すと、多芯ケーブルの識別に際して、アンテナ線を別途準備しなくて済む分だけ、部品点数の削減が図れることとなる。
【発明の効果】
【００１７】
本発明に係るケーブル識別装置では、多数敷設されているケーブルの中から特定のケーブルの情報を識別する場合、ケーブルの端部や中間部に関係なく、ケーブルの情報を容易に識別することが可能であり、その結果、ケーブルの識別作業の効率を高めることができるという非常に優れた効果がもたらされる。
【図面の簡単な説明】
【００１８】
【図１】本発明の一実施例に係るケーブル識別装置の全体斜視説明図である。
【図２】本発明の他の実施例に係るケーブル識別装置の全体斜視説明図である。
【発明を実施するための形態】
【００１９】
以下、本発明を図面に基づいて説明する。
図１は、本発明の一実施例に係るケーブル識別装置を示しており、この実施例では、識別されるケーブルが多芯ケーブルである場合を例に挙げて説明する。
【００２０】
図１に示すように、例えば、発電所において多数敷設される多芯ケーブル１０は、複数の芯線１１〜１３を束にしてカバー１５で被覆してなっており、複数の芯線１１〜１３の各一方の端末１１ａ〜１３ａはターミナルブロックＴＢにそれぞれ接続されていると共に、各他方の端末１１ｂ〜１３ｂは図外の機器の端子ブロックにそれぞれ接続されている。
【００２１】
このような多芯ケーブル１０を識別するためのケーブル識別装置１は、多芯ケーブル１０に抱合せて配置されるアンテナ線２と、多芯ケーブル１０を識別するための識別情報が記憶され、アンテナ線２の一端に接続されて多芯ケーブル１０の一方の端部１０ａに配置されるパッシブタイプのＲＦＩＤタグ３と、多芯ケーブル１０の脇において、ＲＦＩＤタグ３が取り付けられたアンテナ線２を介して電磁波をＲＦＩＤタグ３に供給すると共に、このＲＦＩＤタグ３からの反射波を受信して識別情報を得る携帯型ＩＤリーダ４を備えている。
【００２２】
この実施例では、多芯ケーブル１０における複数の芯線のうちの一本の芯線をアンテナ線２として使用している。
また、この実施例では、携帯型ＩＤリーダ４が書き込み機能を有しており、この携帯型ＩＤリーダ４からアンテナ線２を介して多芯ケーブル１０の識別情報をＲＦＩＤタグ３に記憶させることができるようになっている。
【００２３】
この実施例に係るケーブル識別装置１では、多芯ケーブル１０を、例えば、発電所において多数敷設するに際して、まず、敷設する多芯ケーブル１０における複数の芯線のうちの一本の芯線をアンテナ線２として使用すると共に、多芯ケーブル１０を識別するための識別情報を記憶させたＲＦＩＤタグ３を一本の芯線であるアンテナ線２の一端に取り付けたうえで、多芯ケーブル１０の一方の端部１０ａに位置させておく。
【００２４】
そして、このような一本の芯線をアンテナ線２として使用した多芯ケーブル１０を多数敷設して使用しているうちに、撤去が必要な多芯ケーブル１０が出現した場合には、この撤去する多芯ケーブル１０を識別するべく、例えば、多芯ケーブル１０の中間部の脇において、携帯型ＩＤリーダ４からアンテナ線２を介して電磁波をＲＦＩＤタグ３に供給すると、このＲＦＩＤタグ３から識別情報を含んだ反射波が戻ることとなり、この反射波を携帯型ＩＤリーダ４で受信すれば、撤去する多芯ケーブル１０の識別情報が得られることとなる。
【００２５】
このように、アンテナ線２を含む多芯ケーブル１０の脇において、携帯型ＩＤリーダ４からアンテナ線２を介して電磁波をＲＦＩＤタグ３に供給すれば、例え多芯ケーブル１０の中間位置であったとしても、多芯ケーブル１０の一方の端部１０ａの位置まで行くことなく撤去すべき多芯ケーブル１０を特定し得るので、識別作業が容易なものとなって、作業の効率化が図られることとなる。
【００２６】
この実施例では、携帯型ＩＤリーダ４に書き込み機能を有するものを採用しているので、多芯ケーブル１０の端部及び中間部に関係なく、多芯ケーブル１０を識別するための識別情報をＲＦＩＤタグ３に記憶させ得ることとなり、利便性が向上することとなる。
【００２７】
また、この実施例では、多芯ケーブル１０における複数の芯線のうちの一本の芯線をアンテナ線２として使用しているので、多芯ケーブル１０の識別に際して、アンテナ線を別途準備しなくて済む分だけ、部品点数の削減が図られることとなる。
【００２８】
図２は、本発明の他の実施例に係るケーブル識別装置を示しており、この実施例では、識別されるケーブルがオーディオ機器同士を接続するケーブルである場合を例に挙げて説明する。
【００２９】
図２に示すように、家庭において多数敷設されるオーディオ機器用のケーブルを識別するためのケーブル識別装置２１は、ケーブル２０に抱合せて配置されるアンテナ線２２と、ケーブル２０を識別するための識別情報が記憶され、アンテナ線２２の一端に接続されてケーブル２０の一方の端部２０ａに配置されるパッシブタイプのＲＦＩＤタグ２３と、ケーブル２０の脇において、ＲＦＩＤタグ２３が取り付けられたアンテナ線２２を介して電磁波をＲＦＩＤタグ２３に供給すると共に、このＲＦＩＤタグ２３からの反射波を受信して識別情報を得る携帯型ＩＤリーダ２４を備えている。
【００３０】
この実施例に係るケーブル識別装置２１では、ケーブル２０を、例えば、電子機器間に多数敷設するに際して、まず、敷設するケーブル２０にアンテナ線２２を抱合せて配置すると共に、ケーブル２０を識別するための識別情報を記憶させたＲＦＩＤタグ２３をアンテナ線２２の一端に取り付けたうえで、ケーブル２０の一方の端部２０ａに位置させておく。
【００３１】
そして、このようなアンテナ線２２を抱合せたケーブル２０を多数敷設して使用しているうちに、撤去が必要なケーブル２０が出現した場合には、この撤去するケーブル２０を識別するべく、例えば、ケーブル２０の中間部の脇において、携帯型ＩＤリーダ２４からアンテナ線２２を介して電磁波をＲＦＩＤタグ２３に供給すると、このＲＦＩＤタグ２３から識別情報を含んだ反射波が戻ることとなり、この反射波を携帯型ＩＤリーダ２４で受信すれば、撤去するケーブル２０の識別情報が得られることとなる。
【００３２】
このように、ケーブル２０及びアンテナ線２２の脇において、携帯型ＩＤリーダ２４からアンテナ線２２を介して電磁波をＲＦＩＤタグ２３に供給すれば、例えケーブル２０の中間位置であったとしても、ケーブル２０の一方の端部２０ａの位置まで行くことなく撤去すべきケーブル２０を特定し得るので、識別作業が容易なものとなって、作業の効率化が図られることとなる。
【００３３】
この実施例においても、携帯型ＩＤリーダ２４に書き込み機能を有するものを採用して、この携帯型ＩＤリーダ２４からアンテナ線２２を介してケーブル２０の識別情報をＲＦＩＤタグ２３に記憶させるように成せば、ケーブル２０の端部及び中間部を問わず、ケーブル２０を識別するための識別情報をＲＦＩＤタグ２３に記憶させ得ることとなり、利便性が向上することとなる。
【００３４】
本発明に係るケーブル識別装置及びケーブル識別方法の構成は、上記した実施例の構成に限定されるものではなく、他の構成として、例えば、アクティブタグ及びセミアクティブタグをＲＦＩＤタグとして用いることができる。
【符号の説明】
【００３５】
１，２１  ケーブル識別装置
２，２２  アンテナ線
３，２３  ＲＦＩＤタグ
４，２４  携帯型ＩＤリーダ
１０  多芯ケーブル
１０ａ  多芯ケーブルの端部
１１〜１３  多芯ケーブルの芯線
２０  ケーブル
２０ａ  ケーブルの端部
【図１】
2014239567.tif 000003
【図２】
2014239567.tif 000004